(57)【要約】【課題】  容易に設置を行うことができる照明装置を提供すること。【解決手段】  面状に発光されるパネル状照明ユニット４を備え、パネル状照明ユニット４は、取付基板と、取付基板の片面に取り付けられた複数の発光手段と、複数の発光手段を点灯させるための点灯回路と、点灯回路に電気的に並列的に接続された第１接続端子部１２及び第２接続端子部１４と、を備えている。パネル状照明ユニット４が少なくとも２つ設けられ、一つのパネル状照明ユニット４の第１接続端子部１２には商用電源５２が電気的に接続され、その第２接続端子部１４には他の一つのパネル状照明ユニット４の第１接続端子部１２が電気的に接続されるように構成される。【選択図】  図５
2009110926.tif 000002
【特許請求の範囲】
【請求項１】
面状に発光されるパネル状照明ユニットを備え、前記パネル状照明ユニットは、取付基板と、前記取付基板の片面に取り付けられた複数の発光手段と、前記複数の発光手段を点灯させるための点灯回路と、を備え、
前記複数の発光手段は電気的に直列的に接続され、前記点灯回路は、商用電源からの商用電力を整流するための整流回路と、前記整流回路からの直流電力を昇圧するための昇圧回路と、を備えており、
前記商用電源からの商用電力は前記整流回路を介して前記昇圧回路に供給され、前記昇圧回路にて昇圧された直流電力は、前記複数の発光手段の各々に供給されることを特徴とする照明装置。
【請求項２】
面状に発光されるパネル状照明ユニットを備え、前記パネル状照明ユニットは、取付基板と、前記取付基板の片面に取り付けられた複数の発光手段と、前記複数の発光手段を点灯させるための点灯回路と、を備え、
前記複数の発光手段は電気的に直列的に接続され、前記点灯回路は、蓄電池から前記複数の発光手段の各々に流れる直流電流を定電流に調節するための定電流回路を備えており、
前記蓄電池からの直流電力は、前記定電流回路に供給されて定電流に調節された後に、前記複数の発光手段の各々に供給されることを特徴とする照明装置。
【請求項３】
面状に発光されるパネル状照明ユニットを備え、前記パネル状照明ユニットは、取付基板と、前記取付基板の片面に取り付けられた複数の発光手段と、前記複数の発光手段を点灯させるための点灯回路と、前記点灯回路に電気的に並列的に接続された第１及び第２接続端子部と、を備え、
前記パネル状照明ユニットが少なくとも２つ設けられ、一つの前記パネル状照明ユニットの前記第１接続端子部には商用電源が電気的に接続され、その前記第２接続端子部には他の一つの前記パネル状照明ユニットの前記第１接続端子部が電気的に接続されるように構成され、
前記商用電源からの商用電力が前記一つのパネル状照明ユニットの前記第１接続端子部に供給されると、この商用電力は前記一つのパネル状照明ユニットの前記点灯回路を介して前記複数の発光手段に供給されるとともに、その前記第２接続端子部を介して前記他の一つのパネル状照明ユニットの前記第１接続端子部に供給され、更に前記他の一つのパネル状照明ユニットの前記点灯回路を介して前記複数の発光手段に供給されることを特徴とする照明装置。
【請求項４】
前記パネル状照明ユニットは、前記取付基板が支持される支持部材と、前記取付基板の片面を覆うカバー部材と、を更に備え、前記カバー部材は前記支持部材に取り付けられ、前記カバー部材の裏面には、前記複数の発光手段の各々が収容される複数の収容凹部が設けられていることを特徴とする請求項１〜３のいずれかに記載の照明装置。
【請求項５】
前記支持部材の外周部には係合突部又は係合凹部が設けられ、前記カバー部材の外周部には前記係合突部又は係合凹部と相互に係合される係合凹部又は係合突部が設けられており、前記支持部材の前記係合突部又は係合凹部と前記カバー部材の前記係合凹部又は係合突部との間にはシール部材が介在されていることを特徴とする請求項４に記載の照明装置。
【発明の詳細な説明】
【技術分野】
【０００１】
本発明は、例えばＬＥＤなどの複数の発光手段を光源として用いたパネル状の照明装置に関する。
【背景技術】
【０００２】
近年、複数のＬＥＤを光源として用いた照明装置が提案されており、このような照明装置は、従来の蛍光灯や白熱電球などを用いた照明装置と比して、熱エネルギーによる損失が少なく、また寿命が長いという利点があり、蛍光灯や白熱電球などに替わる新しい照明として注目されている。このような照明装置は、複数のＬＥＤと、複数のＬＥＤが取り付けられた取付基板と、を備えている（例えば、特許文献１参照）。また、照明装置の外部には電力供給装置が設けられ、この電力供給装置からの所定の直流電力が複数のＬＥＤの各々に供給されると、複数のＬＥＤの各々が点灯される。
【０００３】
【特許文献１】特開２００５−２３５７７９号公報
【発明の開示】
【発明が解決しようとする課題】
【０００４】
しかしながら、上述のような従来の照明装置では、次のような問題がある。第１に、上述した電力供給装置を照明装置の外部に設置すると、装置全体の大きさが大型化してしまい、照明装置の設置の自由度が低下するという問題がある。また、取付基板に取り付けられたＬＥＤが多数個（例えば、数十〜数百個）である場合には、電力供給装置を複数設置し、これら複数の電力供給装置からの直流電力を各ＬＥＤに供給する必要があり、それ故に、複数の電力供給装置と各ＬＥＤとを電気的に接続する回路構成が複雑になるという問題がある。
【０００５】
第２に、電力供給装置が蓄電池から構成されている場合には、蓄電池から出力される直流電圧が変動しやすい傾向にある。蓄電池からの直流電圧が上昇したときには、各ＬＥＤに流れる直流電流の大きさが大きくなり、ＬＥＤの温度が上昇してＬＥＤが損傷するおそれがある。また、蓄電池からの直流電圧が低下したときには、各ＬＥＤに流れる直流電流の大きさが小さくなり、ＬＥＤからの光の照度が低下するという問題がある。
【０００６】
第３に、この照明装置を例えば広告用看板のバックライト照明などとして用いる場合には、広告用看板の大きさに応じて複数の照明装置が所要の通りに並べて配設される。このように複数の照明装置を並べて配設する場合には、複数の照明装置の各々に対応して複数の電力供給装置を設ける必要があり、これにより照明装置と電力供給装置とを電気的に接続するための配線作業が煩雑となり、照明装置の設置を容易に行うことができないという問題がある。
【０００７】
本発明の第１の目的は、回路構成を簡単にすることができるとともに、装置全体の大きさを小型化することができる照明装置を提供することである。
また、本発明の第２の目的は、各発光手段に安定した直流電流を供給することができる照明装置を提供することである。
【０００８】
また、本発明の第３の目的は、容易に設置を行うことができる照明装置を提供することである。
【課題を解決するための手段】
【０００９】
本発明の請求項１に記載の照明装置では、面状に発光されるパネル状照明ユニットを備え、前記パネル状照明ユニットは、取付基板と、前記取付基板の片面に取り付けられた複数の発光手段と、前記複数の発光手段を点灯させるための点灯回路と、を備え、
前記複数の発光手段は電気的に直列的に接続され、前記点灯回路は、商用電源からの商用電力を整流するための整流回路と、前記整流回路からの直流電力を昇圧するための昇圧回路と、を備えており、
前記商用電源からの商用電力は前記整流回路を介して前記昇圧回路に供給され、前記昇圧回路にて昇圧された直流電力は、前記複数の発光手段の各々に供給されることを特徴とする。
【００１０】
また、本発明の請求項２に記載の照明装置では、面状に発光されるパネル状照明ユニットを備え、前記パネル状照明ユニットは、取付基板と、前記取付基板の片面に取り付けられた複数の発光手段と、前記複数の発光手段を点灯させるための点灯回路と、を備え、
前記複数の発光手段は電気的に直列的に接続され、前記点灯回路は、蓄電池から前記複数の発光手段の各々に流れる直流電流を定電流に調節するための定電流回路を備えており、
前記蓄電池からの直流電力は、前記定電流回路に供給されて定電流に調節された後に、前記複数の発光手段の各々に供給されることを特徴とする。
【００１１】
さらに、本発明の請求項３に記載の照明装置では、面状に発光されるパネル状照明ユニットを備え、前記パネル状照明ユニットは、取付基板と、前記取付基板の片面に取り付けられた複数の発光手段と、前記複数の発光手段を点灯させるための点灯回路と、前記点灯回路に電気的に並列的に接続された第１及び第２接続端子部と、を備え、
前記パネル状照明ユニットが少なくとも２つ設けられ、一つの前記パネル状照明ユニットの前記第１接続端子部には商用電源が電気的に接続され、その前記第２接続端子部には他の一つの前記パネル状照明ユニットの前記第１接続端子部が電気的に接続されるように構成され、
前記商用電源からの商用電力が前記一つのパネル状照明ユニットの前記第１接続端子部に供給されると、この商用電力は前記一つのパネル状照明ユニットの前記点灯回路を介して前記複数の発光手段に供給されるとともに、その前記第２接続端子部を介して前記他の一つのパネル状照明ユニットの前記第１接続端子部に供給され、更に前記他の一つのパネル状照明ユニットの前記点灯回路を介して前記複数の発光手段に供給されることを特徴とする。
【００１２】
また、本発明の請求項４に記載の照明装置では、前記パネル状照明ユニットは、前記取付基板が支持される支持部材と、前記取付基板の片面を覆うカバー部材と、を更に備え、前記カバー部材は前記支持部材に取り付けられ、前記カバー部材の裏面には、前記複数の発光手段の各々が収容される複数の収容凹部が設けられていることを特徴とする。
【００１３】
さらに、本発明の請求項５に記載の照明装置では、前記支持部材の外周部には係合突部又は係合凹部が設けられ、前記カバー部材の外周部には前記係合突部又は係合凹部と相互に係合される係合凹部又は係合突部が設けられており、前記支持部材の前記係合突部又は係合凹部と前記カバー部材の前記係合凹部又は係合突部との間にはシール部材が介在されていることを特徴とする。
【発明の効果】
【００１４】
本発明の請求項１に記載の照明装置によれば、商用電源からの商用電力は整流回路を介して昇圧回路に供給され、この昇圧回路にて昇圧された直流電力が複数の発光手段の各々に供給されるので、従来の電力供給装置を省略することができ、それ故に、装置全体を小型化することができ、照明装置の設置の自由度を高めることができる。また、電気的に直列的に接続された複数の発光手段に昇圧回路からの直流電力が供給される構成であるので、例えば多数個（例えば、数十〜数百個）の発光手段を取付基板に取り付けた場合であっても、複数の発光手段と点灯回路とを相互に電気的に接続する回路構成を簡単にすることができ、また、発光手段の個数に応じて昇圧する直流電力の大きさを調節することにより、複数の発光手段の各々に所定の直流電力を供給することができる。
【００１５】
また、本発明の請求項２に記載の照明装置によれば、蓄電池からの直流電力は、定電流回路に供給されて定電流に調節された後に複数の発光手段の各々に供給されるので、蓄電池からの直流電圧が変動した場合であっても、各発光手段に安定した直流電流を供給することができる。従って、蓄電池からの直流電圧が上昇した場合には、各発光手段が温度上昇により損傷するのを防止することができ、また蓄電池からの直流電圧が低下した場合には、各発光手段からの光の照度が低下するのを防止することができる。
【００１６】
さらに、本発明の請求項３に記載の照明装置によれば、一つのパネル状照明ユニットの第１接続端子部には商用電源が電気的に接続され、その第２接続端子部には他の一つのパネル状照明ユニットの第１接続端子部が電気的に接続されるので、商用電源からの商用電力により各パネル状照明ユニットに搭載された複数の発光手段をそれぞれ点灯させることができ、従来の電力供給装置を省略することができる。従って、複数のパネル状照明ユニットを電気的に接続するための配線作業を容易に行うことができ、照明装置の設置を容易に行うことができる。
【００１７】
また、本発明の請求項４に記載の照明装置によれば、カバー部材の裏面には複数の収容凹部が設けられているので、これら複数の収容凹部の各々に複数の発光手段が収容されることにより、発光手段の厚さの分だけパネル状照明ユニット全体を薄型化することができる。
【００１８】
さらに、本発明の請求項５に記載の照明装置によれば、支持部材の係合突部又は係合凹部とカバー部材の係合凹部又は係合突部との間にはシール部材が介在されているので、このシール部材によって外部からの水がパネル状照明ユニットの内部に侵入するのを防止することができ、これにより照明装置を例えば屋外用照明や浴室用照明などとして用いることができる。
【発明を実施するための最良の形態】
【００１９】
以下、添付図面を参照して、本発明に従う照明装置の一実施形態について説明する。図１は、本発明の一実施形態による照明装置のパネル状照明ユニットの正面図であり、図２は、図１中のＡ−Ａ線によるパネル状照明ユニットの概略断面図であり、図３は、図１のパネル状照明ユニットを示す裏面図であり、図４は、図１のパネル状照明ユニットの点灯回路及びこれに関連する構成を簡略的に示すブロック図であり、図５は、図１のパネル状照明ユニットを複数並べて配設した状態を示す図である。
【００２０】
図１〜図４を参照して、図示の照明装置２は、面状に発光されるパネル状照明ユニット４を備えている。このパネル状照明ユニット４は、取付基板６と、取付基板６の片面に取り付けられた複数のＬＥＤ８（発光手段を構成する）と、複数のＬＥＤ８を点灯させるための点灯回路１０と、点灯回路１０に電気的に並列的に接続された第１接続端子部１２及び第２接続端子部１４と、取付基板６が支持される支持部材１６と、取付基板６の片面を覆うカバー部材１８と、を備えている。以下、このパネル状照明ユニット４の構成について詳細に説明する。
【００２１】
取付基板６は薄板状に構成され、その片面には配線パターン（図示せず）が設けられている。ＬＥＤ８は、例えばチップ型の高輝度ＬＥＤから構成されており、発光部２０と、この発光部２０から延びる一対のリード部（図示せず）と、を備えている。ＬＥＤ８の一対のリード部は、はんだ付けにより取付基板６の配線パターンに電気的に接続されており、これにより取付基板６の片面において複数のＬＥＤ８は電気的に直列的に接続される。
【００２２】
この取付基板６は支持部材１６に支持されている。支持部材１６の外周部にはその片側に筒状に延びる係合突部２６が設けられ、またその中央部には矩形状の開口部２８が設けられている。この開口部２８には保護カバー３２が取り付けられており、この保護カバーの３２の内側面には、点灯回路１０を構成する電子部品（図示せず）などが実装された薄板状の支持基板２２が支持されている。この点灯回路１０と取付基板６の配線パターンとは、電力ケーブル（図示せず）を介して電気的に接続されている。
【００２３】
支持基板２２の一側部には第１接続端子部１２が設けられ、またその他側部には第２接続端子部１４が設けられており、これら第１接続端子部１２及び第２接続端子部１４は、電力供給ライン３０を介して相互に電気的に接続されている。また、保護カバー３２の両側部にはそれぞれ挿通用開口部３４ａ，３４ｂが設けられ、第１接続端子部１２及び第２接続端子部１４の各一端部はそれぞれ挿通用開口部３４ａ，３４ｂを通して外部に露出されている。
【００２４】
また、保護カバー３２の挿通用開口部３４ａ，３４ｂと第１接続端子部１２及び第２接続端子部１４の各一端部との間の隙間、及び保護カバー３２の開口部３６と支持部材１６の開口部２８との間の隙間にはそれぞれ例えばシリコンゴムなどのシール部材（図示せず）が介在されており、このシール部材により上記各隙間がそれぞれシールされる。
【００２５】
点灯回路１０は、第１接続端子部１２からの商用電力を整流するための整流回路３８と、整流回路３８からの直流電力を昇圧するための昇圧回路４０と、昇圧回路４０からの直流電力を安定化させるための安定化回路４２と、を備えている。
【００２６】
整流回路３８は例えばダイオードブリッジなどから構成され、その交流側は、電力供給ライン３０より分岐された分岐電力ライン４４を介して第１接続端子部１２及び第２接続端子部１４にそれぞれ電気的に接続されている。昇圧回路４０は例えば昇圧チョッパ回路やＤＣ−ＤＣコンバータ回路などから構成され、その低圧側は整流回路３８の直流側に電気的に接続され、またその高圧側は安定化回路４２に電気的に接続されている。安定化回路４２は例えば三端子レギュレータなどから構成され、その出力側は取付基板６の配線パターンを介して複数のＬＥＤ８に電気的に接続されている。
【００２７】
カバー部材１８は例えば透明乃至半透明のアクリル樹脂などから形成され、その裏面には、複数のＬＥＤ８の各々に対応して円形状の複数の収容凹部４６が設けられている。また、カバー部材１８の外周部にはその片側に筒状に延びる係合凹部４８が設けられており、支持部材１６の係合突部２６とカバー部材１８の係合凹部４８とが相互に係合されることにより、カバー部材１８が支持部材１６に取り付けられる。このように取り付けられると、取付基板６の片面がカバー部材１８により覆われるとともに、複数のＬＥＤ８の各発光部２０がそれぞれ複数の収容凹部４６に収容され、これによりＬＥＤ８の発光部２０の厚さの分だけパネル状照明ユニット４全体を薄型化することができる。また、係合突部２６と係合凹部４８との間の隙間には例えばシリコンゴムなどのシール部材（図示せず）が介在されており、このシール部材により上記隙間がシールされる。
【００２８】
図５をも参照して、上述した照明装置２による照明について説明すると、次の通りである。上述したパネル状照明ユニット４が複数（本実施形態では９個）設けられ、これら複数のパネル状照明ユニット４が図５に示すようにして並べて配設されている。図５において最上段の最も左側に配設されたパネル状照明ユニット４の第１接続端子部１２には電力ケーブル５０を介して商用電源５２が電気的に接続され、この商用電源５２は、例えば１００Ｖ、６０Ｈｚ（又は５０Ｈｚ）の単相交流電力、即ち商用電力を供給する。なお、この電力ケーブル５０には、商用電源５２からの商用電力を第１接続端子部１２へ供給又は供給を遮断するための点灯スイッチ５４が設けられている。また、このパネル状照明ユニット４の第２接続端子部１４は、その横方向に隣接して配設されたパネル状照明ユニット４の第１接続端子部１２に接続ケーブル５６を介して電気的に接続されている。同様にして、残りのパネル状照明ユニット４が図５に示すようにして配設され、各パネル状照明ユニット４の第２接続端子部１４とこれに隣接して配設されたパネル状照明ユニット４の第１接続端子部１２とが接続ケーブル５６を介して電気的に接続されている。なお、図５において最下段の最も右側に配設されたパネル状照明ユニット４の第２接続端子部１４には感電防止用カバー５８が取り付けられており、この感電防止用カバー５８により使用されない第２接続端子部１４の導電部（図示せず）が覆われるようになる。
【００２９】
点灯スイッチ５４をオンすると、商用電源５２からの商用電力が電力ケーブル５０を介してパネル状照明ユニット４の第１接続端子部１２に供給される。第１接続端子部１２からの商用電力は電力供給ライン３０及び分岐電力ライン４４を介して整流回路３８に供給され、例えば約１９０Ｖの直流電力に変換される。整流回路３８からの直流電力は昇圧回路４０に供給されて、この昇圧回路４０により例えば約２００Ｖまで昇圧される。このように昇圧された直流電力は更に、安定化回路４２により安定化された後に複数のＬＥＤ８の各々に供給され、これにより複数のＬＥＤ８の各々が点灯される。
【００３０】
また、このパネル状照明ユニット４の第１接続端子部１２に供給された商用電力は、電力供給ライン３０を介してその第２接続端子部１４に供給され、更に接続ケーブル５６を介して横方向に隣接して配設されたパネル状照明ユニット４の第１接続端子部１２に供給される。この商用電力は、上述と同様にして、整流回路３８、昇圧回路４０及び安定化回路４２を介して複数のＬＥＤ８の各々に供給され、これにより複数のＬＥＤ８の各々が点灯される。
【００３１】
このようにして各パネル状照明ユニット４の点灯回路１０にそれぞれ商用電力が供給され、これにより各パネル状照明ユニット４の複数のＬＥＤ８がそれぞれ点灯される。各パネル状照明ユニット４に搭載された複数のＬＥＤ８からの光はカバー部材１８を透過して外部に照射され、これによりカバー部材１８のほぼ全域において面状に発光される。
【００３２】
また、上記点灯状態において点灯スイッチ５４をオフすると、各パネル状照明ユニット４の点灯回路１０への商用電力の供給が遮断され、これにより各パネル状照明ユニット４に搭載された複数のＬＥＤ８がそれぞれ消灯される。
【００３３】
本実施形態の照明装置２では、複数のパネル状照明ユニット４のうち一つのパネル状照明ユニット４の第１接続端子部１２に商用電源５２より延びる電力ケーブル５０を電気的に接続するとともに、その第２接続端子部１４と一つのパネル状照明ユニット４に隣接して配設された他の一つのパネル状照明ユニット４の第１接続端子部１２とを接続ケーブル５６介して電気的に接続すればよく、複数のパネル状照明ユニット４を電気的に接続するための配線作業を容易に行うことができ、照明装置２の設置を容易に行うことができる。
【００３４】
なお、本実施形態では、複数のパネル状照明ユニット４を並べて配設するように構成したが、１つのパネル状照明ユニット４のみを用いて照明するようにしてもよい。かかる場合には、このパネル状照明ユニット４の第１接続端子部１２には商用電源５２が電気的に接続され、またその第２接続端子部１４には感電防止用カバー５８が取り付けられる。
【００３５】
商用電源５２からの商用電力は整流回路３８を介して昇圧回路４０に供給され、この昇圧回路４０にて昇圧された直流電力が複数のＬＥＤ８の各々に供給される構成であるので、従来の電力供給装置を省略することができ、それ故に、装置全体を小型化することができ、照明装置２の設置の自由度を高めることができる。また、電気的に直列的に接続された複数のＬＥＤ８に昇圧回路４０からの直流電力が供給される構成であるので、例えば多数個（例えば、数十〜数百個）のＬＥＤ８を取付基板６に取り付けた場合であっても、複数のＬＥＤ８と点灯回路１０とを相互に電気的に接続する回路構成を簡単にすることができ、また、取付基板６に取り付けられるＬＥＤ８の個数に応じて昇圧回路４０により昇圧される直流電力の大きさを調節することにより、各ＬＥＤ８にそれぞれ所定の直流電力を供給することができる。
【００３６】
また、上述のようにシール部材により係合突部２６と係合凹部４８との間の隙間がシールされるとともに、保護カバー３２の挿通用開口部３４ａ，３４ｂと第１接続端子部１２及び第２接続端子部１４の各一端部との間の隙間、及び保護カバー３２の開口部３６と支持部材１６の開口部２８との間の隙間がそれぞれシールされるので、外部の水がパネル状照明ユニット４の内部に侵入するのが防止され、これにより照明装置２を例えば屋外用照明や浴室用照明として用いることができる。なお、パネル状照明ユニット４の内部に水が侵入するおそれのない環境下にて照明装置２を使用する場合には、上述したシール部材を省略することができる。
【００３７】
本実施形態の照明装置２は、例えば室内のインテリア照明や広告用看板のバックライト照明など、種々の用途の照明として用いることができる。
なお、本実施形態では、電力ケーブル５０に点灯スイッチ５４を設けるように構成したが、各パネル状照明ユニット４の分岐電力ライン４４にそれぞれ点灯スイッチ５４を設けるように構成してもよい。このように構成することにより、複数のパネル状照明ユニット４のうち適宜のパネル状照明ユニット４に搭載された複数のＬＥＤ８のみを点灯（又は消灯）させることができる。
【００３８】
また、本実施形態では、９個のパネル状照明ユニット４を並べて配設するように構成したが、これに限られず、パネル状照明ユニット４を例えば２個あるいは３個以上並べて配設するように構成してもよく、その数は適宜設定することができる。
【００３９】
また、本実施形態では、支持部材１６に係合突部２６を設けるとともにカバー部材１８に係合凹部４８を設けるように構成したが、これとは反対に、支持部材１６に係合凹部を設けるとともにカバー部材１８に係合突部を設けるように構成してもよい。
【００４０】
次に、図６を参照して、照明装置の他の実施形態について説明する。図６は、本発明の他の実施形態による照明装置のパネル状照明ユニットの点灯回路及びこれに関連する構成を簡略的に示すブロック図である。この他の実施形態において、上述した実施形態の構成要素と実質上同一の構成要素には同一の符号を付し、その説明を省略する。
【００４１】
この他の実施形態の照明装置２Ａでは、点灯回路１０Ａは、第１接続端子部１２からの直流電流を定電流に調節するための定電流回路６２を備えている。定電流回路６２は例えば三端子レギュレータなどから構成され、その入力側は分岐電力ライン４４を介して第１接続端子部１２及び第２接続端子部１４にそれぞれ電気的に接続され、その出力側は取付基板（図示せず）の配線パターンを介して複数のＬＥＤ８に電気的に接続されている。
【００４２】
パネル状照明ユニット４Ａの第１接続端子部１２には電力ケーブル５０を介して蓄電池６４が電気的に接続されている。この蓄電池６４は車載用バッテリや携帯用バッテリなどから構成され、例えば１２〜２４Ｖ程度の直流電力を供給する。なお、本実施形態では、１つのパネル状照明ユニット４Ａのみが配設され、パネル状照明ユニット４Ａの第２接続端子部１４には、感電防止用カバー５８が取り付けられている。
【００４３】
点灯スイッチ５４をオンすると、蓄電池６４からの直流電力が電力ケーブル５０を介してパネル状照明ユニット４Ａの第１接続端子部１２に供給される。第１接続端子部１２からの直流電力は電力供給ライン３０及び分岐電力ライン４４を介して定電流回路６２に供給され、定電流回路６２にて定電流に調節された後に複数のＬＥＤ８の各々に供給される。
【００４４】
本実施形態の照明装置２Ａでは、定電流回路６２により定電流に調節された直流電流が各ＬＥＤ８に供給されるので、蓄電池６４からの直流電圧が変動した場合であっても、各ＬＥＤ８に安定した直流電流を供給することができる。従って、蓄電池６４からの直流電圧が上昇した場合には、各ＬＥＤ８が温度上昇により損傷するのを防止することができ、また蓄電池６４からの直流電圧が低下した場合には、各ＬＥＤ８からの光の照度が低下するのを防止することができる。
【００４５】
なお、本実施形態では、１つのパネル状照明ユニット４Ａのみを配設するように構成したが、上記実施形態と同様に、複数のパネル状照明ユニット４Ａを並べて配設するように構成してもよい。
【００４６】
以上、本発明に従う種々の照明装置の実施形態について説明したが、本発明はかかる実施形態に限定されるものではなく、本発明の範囲を逸脱することなく種々の変形乃至修正が可能である。
【００４７】
例えば、上記各実施形態では、発光手段をＬＥＤ８から構成したが、これに限られず、例えば蛍光灯や冷陰極管などの放電灯などから構成してもよい。
【図面の簡単な説明】
【００４８】
【図１】本発明の一実施形態による照明装置のパネル状照明ユニットの正面図である。
【図２】図１中のＡ−Ａ線によるパネル状照明ユニットの概略断面図である。
【図３】図１のパネル状照明ユニットを示す裏面図である。
【図４】図１のパネル状照明ユニットの点灯回路及びこれに関連する構成を簡略的に示すブロック図である。
【図５】図１のパネル状照明ユニットを複数並べて配設した状態を示す図である。
【図６】本発明の他の実施形態による照明装置のパネル状照明ユニットの点灯回路及びこれに関連する構成を簡略的に示すブロック図である。
【符号の説明】
【００４９】
２，２Ａ  照明装置
４，４Ａ  パネル状照明ユニット
６  取付基板
８  ＬＥＤ
１０，１０Ａ  点灯回路
１２  第１接続端子部
１４  第２接続端子部
１６  支持部材
１８  カバー部材
２６  係合突部
３８  整流回路
４０  昇圧回路
４８  係合凹部
５２  商用電源
６２  定電流回路
６４  蓄電池
【図１】
2009110926.tif 000003
【図２】
2009110926.tif 000004
【図３】
2009110926.tif 000005
【図４】
2009110926.tif 000006
【図５】
2009110926.tif 000007
【図６】
2009110926.tif 000008